(57)【特許請求の範囲】
【請求項１】
光軸を含む水平面内に描かれた前方に凸の弧状の第１の曲線を、水平を保ったまま、光軸を含む垂直面上に描かれた前方に凸の円弧状の第２の曲線に沿って上下方向に移動させたときの、該第１の曲線の軌跡により形成される曲面を第１のレンズ面として有することを特徴とする閃光発光部用プロテクタ。
【請求項２】
前記曲面を、光軸に垂直な面で断面したときの前記第１のレンズ面の輪郭形状が略楕円形を成す曲線であることを特徴とする請求項１記載の閃光発光部用プロテクタ。
【請求項３】
前記第１のレンズ面に代えて、前記曲面をフレネル化した面を第１のレンズ面として有することを特徴とする請求項１又は２記載の閃光発光部用プロテクタ。
【請求項４】
前記第１のレンズ面を前面に有するとともに、後面が、前面と協同して全体として正のディオプタを持つ第２のレンズ面に形成されてなることを特徴とする請求項１記載の閃光発光部用プロテクタ。
【請求項５】
前記第２のレンズ面が、該第２のレンズ面自体で正のディオプタを持つ、後方に凸の曲面であることを特徴とする請求項４記載の閃光発光部用プロテクタ。
【請求項６】
前記第２のレンズ面が、該第２のレンズ面自体で正のディオプタを持つフレネル面であることを特徴とする請求項４記載の閃光発光部用プロテクタ。
【請求項７】
この閃光発光部用プロテクタが、全体として正のディオプタを持つとともに全体として光学ウェッジの作用を成すものであることを特徴とする請求項４記載の閃光発光部用プロテクタ。
【請求項８】
前記第１のレンズ面および前記第２のレンズ面は、該第１のレンズ面単独の光軸と該第２のレンズ面単独の光軸とが相互に非平行となるように形成されてなることを特徴とする請求項７記載の閃光発光部用プロテクタ。
【請求項９】
前記第１のレンズ面および前記第２のレンズ面は、該第１のレンズ面単独の光軸と該第２のレンズ面単独の光軸とが相互に平行かつ不一致となるように形成されてなることを特徴とする請求項７記載の閃光発光部用プロテクタ。
【請求項１０】
前記第２のレンズ面が、全体としては後方に凹の曲面であって、該凹の曲面にフレネル面を有するものであることを特徴とする請求項４記載の閃光発光部用プロテクタ。
【発明の詳細な説明】
【０００１】
【発明の属する技術分野】
本発明は、カメラに内蔵され、もしくはカメラに接続して使用される閃光発光装置の閃光発光部の前面を覆う閃光発光部用プロテクタに関する。
【０００２】
【従来の技術】
従来より、写真撮影にあたり、被写体からの光量が不足している場合や逆光の場合、カメラに内蔵され、もしくはカメラに接続された閃光発光装置から閃光をシャッタ動作に同期して発光させて撮影することが行われている。この閃光発光装置を用いた撮影にあたっては、撮影領域内ができるだけ均一の明るさとなるようにする必要があることから閃光発光装置の設計段階においてその配光特性に考慮が払われている。
【０００３】
図１３は、閃光発光装置の閃光発光部の構造を示す模式図である。
【０００４】
図１３に示された閃光発光装置の閃光発光部６は、発光管６１と、反射板６２と、閃光発光部用プロテクタ６３とから構成されている。発光管６１は、内部にキセノン（Ｘｅ）ガスが封入された直管形状のものであって、シャッタ動作に同期して高電圧を印加することによって内部のキセノンガスがイオン化して放電し、閃光発光するものである。反射板６２は、発光管６１を覆い、照明方向に開口を有する断面が略放物形状のものであって、発光管６１からの閃光を反射するものであり、閃光の、図の上下左右方向の配光特性に影響を及ぼしている。また、発光管６１と反射板６２との相対的な位置関係も閃光の配光特性に影響がある。閃光発光部用プロテクタ６３は、発光管６１に対し照明方向前方に配置されたものであって、発光管６１を保護するとともに、反射板６２と協同して閃光の配光特性を定める機能を有するレンズである。この閃光発光部用プロテクタ６３には、従来、閃光の配光特性を調整するため、球面をフレネル化したレンズや、特開平７−１８１５６５号公報に記載されたレンズなどが用いられている。
【０００５】
【発明が解決しようとする課題】
ところが、球面をフレネル化したレンズの場合、フレネル化する前の球面レンズを考えると、その球面レンズを光軸を含む平面で断面したときのその球面レンズ前面の円弧の曲率半径と、その球面レンズを、光軸と平行な、光軸から離れた平面で断面したときのその球面レンズ前面の円弧の曲率半径は同一ではなく、光軸から離れるにしたがって曲率半径が小さくなる。このため、この球面をフレネル化したレンズを採用した閃光発光部用プロテクタの場合、撮影画面対角方向の隅が暗くなるという問題がある。
【０００６】
また、特開平７−１８１５６５号公報に記載された閃光発光部用プロテクタは、図１３に示す発光管６１の長手方向（管軸方向）にフレネル化され、そのフレネル面各面がシリンドリカル面であるレンズが採用されたものであり、管軸方向とそれに直角な方向について独立に配光特性を決めることができるという長所を有するが、隣接するフレネル面の曲率半径が相互に異なり、このため配光ムラを生じやすいという問題がある。
【０００７】
本発明は、上記事情に鑑み、配光ムラを抑え、かつ良好な配光特性が得られる閃光発光部用プロテクタを提供することを目的とする。
【０００８】
【課題を解決するための手段】
上記目的を達成する本発明の閃光発光部用プロテクタは、光軸を含む水平面内に描かれた前方に凸の弧状の第１の曲線を、水平を保ったまま、光軸を含む垂直面上に描かれた前方に凸の弧状の第２の曲線に沿って上下方向に移動させたときの、その第１の曲線の軌跡により形成される曲面を第１のレンズ面として有することを特徴とする。
【０００９】
本発明の閃光発光部用プロテクタは、上記の第１の曲線と第２の曲線をそれぞれ適切に選択することにより図１３に示す発光管６１の管軸方向の配光特性とこれに直角な方向の配光特性を独立調整することができ、かつ画面対角隅の配光も良好に保つことができる。
【００１０】
また、本発明の閃光発光部用プロテクタは、１つの曲線（第１の曲線）を動かしたときの軌跡からなる曲面を第１のレンズ面とするものであり、これをフレネル化した場合であっても隣接するフレネル面の等価的な曲率半径は相互に同一であり、したがって配光ムラも良好に保たれることになる。
【００１１】
ここで、本発明の閃光発光部用プロテクタにおいて、上記曲面を、光軸に垂直な面で断面したときの上記第１のレンズ面の輪郭形状が略楕円形を成す曲面であってもよい。
【００１２】
このような略楕円形が形成されるように第１の曲線および第２の曲線を選択することも、良好な配光特性を得るために好ましい選択である。
【００１３】
また、上記本発明の閃光発光部用プロテクタにおいて、上記第１のレンズ面に代えて、上記曲面をフレネル化した面を第１のレンズ面として有することも好ましい形態である。
【００１４】
上述したように、本発明の場合その第１のレンズ面をフレネル化しても配光ムラが抑えられる。また、その第１のレンズ面をフレネル化することによって薄型化することができる。
【００１５】
また、上記本発明の閃光発光部用プロテクタにおいて、上記第１のレンズ面を前面に有するとともに、後面が、前面と協同して全体として正のディオプタを持つ第２のレンズ面に形成されてなることも好ましく、ここで、
上記第２のレンズ面が、その第２のレンズ面自体で正のディオプタを持つ、後方に凸の曲面であってもよく、あるいは
上記第２のレンズ面が、その第２のレンズ面自体で正のディオプタを持つフレネル面であってもよい。
【００１６】
上記第１のレンズ面のみでなく、さらに上記第２のレンズ面が形成されることによって、集光特性が向上され、より良好な配光特性を得ることができる。なお、上記第２のレンズ面自体が有する正のディオプタは、一次元的であってもよく、二次元的であってもよい。
【００１７】
さらに、上記第２のレンズ面が形成されてなる、上記本発明の閃光発光部用プロテクタにおいて、この閃光発光部用プロテクタが、全体として正のディオプタを持つとともに全体として光学ウェッジの作用を成すものであることが好ましく、ここで、
上記第１のレンズ面および上記第２のレンズ面は、その第１のレンズ面単独の光軸とその第２のレンズ面単独の光軸とが相互に非平行となるように形成されてなることであってもよく、あるいは
上記第１のレンズ面および上記第２のレンズ面は、その第１のレンズ面単独の光軸とその第２のレンズ面単独の光軸とが相互に平行かつ不一致となるように形成されてなることであってもよい。
【００１８】
このように、閃光発光部用プロテクタに光学ウェッジの作用を持たせることによって、閃光の光路長を調整することができ、この結果、例えば、カメラにおいては、レンズの光軸に対する閃光照射領域の中心位置のずれを補正することができ、より良好な配光特性を得ることができる。
【００１９】
またさらに、上記第２のレンズ面が形成されてなる、上記本発明の閃光発光部用プロテクタにおいて、上記第２のレンズ面が、全体としては後方に凹の曲面であって、その凹の曲面にフレネル面を有するものであることも好ましい形態である。
【００２０】
このような形態では、上記第１のレンズ面が、例えばデザインの制約によって正の強すぎるディオプタを持つ場合であっても、上記第２のレンズ面によって、閃光発光部用プロテクタ全体としては適正な正のディオプタを持つように補正され、より良好な配光特性を得ることができる。
【００２１】
【発明の実施の形態】
本発明の閃光発光部用プロテクタについて、第１実施形態から第４実施形態を用いて以下に説明する。各実施形態の閃光発光部用プロテクタは、被写体側である前面に第１のレンズ面を有する。また、その反対側の後面に第２のレンズ面を有していてもよいが、ここではまず、前面に設けられた第１のレンズ面について説明する。
【００２２】
本発明の第１実施形態の閃光発光部用プロテクタは、図１３を用いて上述した閃光発光装置の構成と同じ構成を有する閃光発光装置に備えられる閃光発光部用プロテクタであって、以下に示すような形状決定によって形成される曲面を第１のレンズ面として有するものである。
【００２３】
図１は第１のレンズ面の曲面形状の決定方法を説明するための図である。
【００２４】
まず、図１に示されるような、Ｘ，Ｙ，Ｚの空間座標において、Ｘ軸を光軸とすると、ＸＺ平面は光軸を含む垂直面になり、ＹＺ平面は光軸に垂直な面になる。また、Ｙ軸を発光管６１の管軸と同じ方向とし、ＸＹ平面を水平面とする。
【００２５】
第１のレンズ面の曲面形状の決定にあたって、最初に、発光管６１の長手方向（管軸方向）の長さや、閃光の配光特性を考慮して、水平面（ＸＹ平面）において第１の点１０１と第２の点１０２とを決定する。次いで、第１の点１０１と第２の点１０２とを通るように、光軸（Ｘ軸）の前方に凸の弧状の第１の曲線１００を決定する。この第１の曲線１００の決定にあたっては、第１の曲線１００の、光軸（Ｘ軸）方向の頂点を基準にした場合の、光軸（Ｘ軸）方向の位置をΔＸとした次式が用いられる。
【００２６】
【数１】
0004298907.tif 000002
【００２７】
ただし、Ｃ1は原点の曲率、Ｋ1は円錐定数、Ａ2nは非球面係数とする。
【００２８】
次に、第１の曲線１００と光軸（Ｘ軸）との交点１０３を通る、光軸を含む垂直面（ＸＺ平面）における、光軸（Ｘ軸）の前方に凸の弧状の第２の曲線を決定する。
【００２９】
本実施形態においては、この第２の曲線は円弧状であり、閃光の配光特性を考慮して半径ｒを決定する。すなわち、反射板６２との兼ね合い等から、発光管６１から発光した閃光を大きく屈折させたい場合には半径ｒを小さな値にし、逆に少しだけ屈折させたい場合には、半径ｒを大きな値にすればよい。
【００３０】
半径ｒが決定されると、円弧の中心点２１０が求まり、中心点２１０に対し半径ｒを有する円弧２００が得られる。また円弧２００が得られると、この円弧２００と光軸に垂直な面（ＹＺ平面）とが交わる第１の交点２０１と第２の交点２０２とが決定される。
【００３１】
なお本実施形態においては、第２の曲線は円弧状であるが、第２の曲線はこれに限らず、第２の曲線の、光軸（Ｘ軸）方向の頂点を基準にした場合の、光軸（Ｘ軸）方向の位置をΔＸとした次式に基づく、二次曲線等の様々な曲線を用いてもよい。
【００３２】
【数２】
0004298907.tif 000003
【００３３】
ただし、Ｃ2は原点の曲率、Ｋ2は円錐定数、Ｂ2nは非球面係数とする。
【００３４】
続いて、第１の曲線１００を水平面（ＸＹ平面）と平行に保ったまま、円弧２００に沿って、Ｚ軸方向、すなわち上下方向に移動させ、このときの、第１の曲線１００の軌跡により形成される曲面３００を得る。この際、今までに決定された、第１の点１０１、第２の点１０２、第１の交点２０１、および第２の交点２０２それぞれを結ぶ略楕円４００が、光軸に垂直な面（ＹＺ平面）上に形成される。
【００３５】
ここで、閃光発光部用プロテクタの外形形状を形成するに際しては、外観上の美観を考慮して反射板６２の開口部を含むよう略楕円４００の輪郭に沿う形状あるいはこれと相似の輪郭形状で切断し、所定の肉厚を付与して実現してもよいし、又は反射板６２の開口部形状に合わせて略楕円４００の長軸方向（Ｙ軸方向）及び短軸方向（Ｚ軸方向）の両端部分を各々Ｚ軸及びＹ軸に平行な切断線によって切断し、所定の肉厚を付与して実現してもよい。
【００３６】
以上のような形状決定によって形成される曲面を第１のレンズ面として前面に有する本実施形態の閃光発光部用プロテクタは、設計段階において、第１の曲線１００によって発光管の管軸方向の配光特性を調整でき、第２の曲線である円弧２００によって発光管の管軸に垂直な方向の配光特性を調整することができるため、画面対角隅の配光を良好に保つレンズ面を前面に有するものである。
【００３７】
次に、本発明の第２実施形態を説明する。
【００３８】
第２実施形態の閃光発光部用プロテクタも、第１実施形態と同じく図１３を用いて上述した閃光発光装置の構成と同じ構成を有する閃光発光装置に備えられる閃光発光部用プロテクタであるが、第１実施形態の第１のレンズ面に代えて、図１を用いて説明した形状決定によって決定された曲面３００をフレネル化した面を第１のレンズ面として前面に有するものである。
【００３９】
図２は、フレネル化を説明するための模式図である。
【００４０】
図２でも、図１で用いたＸ，Ｙ，Ｚの空間座標と同じ空間座標において説明すると、本実施形態では、曲面３００上に、第１の曲線１００（図１参照）に平行な曲線、すなわちＹ軸に平行な曲線を所定間隔ごとに複数設け、このＹ軸に平行な複数の曲線３２０，３２０，…に沿って、曲面３００をフレネル要素３０１，３０２，…に分割する。すなわち、本実施形態では、曲面３００を発光管６１の長手方向（管軸方向）と直交する方向に沿うフレネル要素３０１，３０２，…に分割する、一方向のフレネル化である。
【００４１】
なお、本実施形態の閃光発光部用プロテクタ２の外周形状は、反射板６２の開口部を含むように光軸に垂直な面（ＹＺ平面）に形成された略楕円４００の長軸方向（Ｙ軸方向）及び短軸方向（Ｚ軸方向）の両端部分を、各々Ｚ軸及びＹ軸に平行な切断線によって切断し、所定の肉厚を付与した形状のものである。
【００４２】
以上のようにして、フレネル化された第１のレンズ面の断面形状を図３を用いて説明する。
【００４３】
図３は、本発明の第２実施形態の閃光発光部用プロテクタの第１のレンズ面の断面図である。
【００４４】
図３に示された第１のレンズ面１２の断面図は、図２におけるＸＺ平面で第１のレンズ面１２を断面したときの断面図であり、フレネル要素３０１，３０２，…のフレネル面３０１＿１，３０２＿１，…の曲率半径３０１＿ｒ，３０２＿ｒ，…が示されている。図３に示すように、隣接するフレネル面の曲率半径は相互に同一であり、このため本実施形態の閃光発光部用プロテクタ２は、配光ムラを生じない。またプロテクタのフレネル面を製造するための金型を製作する際、各フレネル要素毎に対応する金型の駒となる部材を全て緊密に締め合わせた後、曲面３００と同じ曲面で同時に研磨加工し、加工後の金型の駒を各々の頂点３０１＿２，３０２＿２，…が同じ高さとなるよう位置をずらしながら組立て、成形用の金型として完成させることができる。このために各フレネル要素毎の金型の駒を別々に加工するという必要が無く、金型の加工適性に優れ、従って生産性にも優れている。
【００４５】
次に図４を用いて、本発明の第３実施形態について説明する。
【００４６】
図４は、本発明の第３実施形態の閃光発光部用プロテクタを示す斜視図である。
【００４７】
図４に示された閃光発光部用プロテクタ３は、第２実施形態の閃光発光部用プロテクタと同じく、図１を用いて説明した形状決定によって決定された曲面３００を一方向にフレネル化した面を第１のレンズ面１３として前面に有するものである。しかしながら第２実施形態の閃光発光部用プロテクタ２とは、各フレネル要素３０１，３０２，…に分割する方向が異なり、本実施形態の閃光発光部用プロテクタ３は、曲面３００を発光管の管軸方向に沿って、フレネル要素に分割したものである。
【００４８】
さらに、図５を用いて、本発明の第４実施形態について説明する。
【００４９】
図５は、本発明の第４実施形態の閃光発光部用プロテクタを示す斜視図である。
【００５０】
図５に示された閃光発光部用プロテクタ４も、第２実施形態の閃光発光部用プロテクタと同じく、図１を用いて説明した形状決定によって決定された曲面３００をフレネル化した面を第１のレンズ面１４として前面に有するものであるが、そのフレネル化は円周方向に行われている。すなわち、図５において、図１のＸ，Ｙ，Ｚの空間座標と同じ空間座標を用いて説明すると、本実施形態における曲面３００のフレネル化は、曲面３００を光軸（Ｘ軸）を中心にした同心円状または同心楕円状の複数のフレネル要素に分割するものである。また、本実施形態の閃光発光部用プロテクタ４の外周形状は、図１における光軸に垂直な面（ＹＺ平面）に形成された略楕円４００を輪郭とし、所定の肉厚を与えて光軸（Ｘ軸）を中心にした円状または略楕円状に切断した形状のものである。
【００５１】
但し、この場合でも、反射板６２の開口部を外形輪郭線の中に含むことが必要である。
【００５２】
なお、閃光発光部用プロテクタの外周形状は、図１における光軸に垂直な面（ＹＺ平面）に形成された略楕円４００をそのまま用いてもよいし、必要に応じて、その略楕円４００を様々な形状に加工してもよい。
【００５３】
続いて、後面に設けられた第２のレンズ面について、第１実施形態を用いて説明する。第１実施形態の閃光発光部用プロテクタには、第１のレンズ面と協同して、全体として見たときに正のディオプタを持つ第２のレンズ面が後面に設けられている。以下、第２のレンズ面について６種類の態様を説明するが、ここでの説明の都合上、いずれの態様においても、第１のレンズ面は同じ形状を有する面とする。ただし、第１のレンズ面自体についてもこれまで説明したような各種の形態を適用することができる。
【００５４】
まず、第１実施形態の閃光発光部用プロテクタにおける第２のレンズ面の第１態様について図６を用いて説明する。
【００５５】
図６は、第１態様の第２のレンズ面を有する閃光発光部用プロテクタの断面図である。
【００５６】
図６に示す第１態様の第２のレンズ面２１は、第２のレンズ面自体で正のディオプタを持つ、後方に凸の曲面である。この曲面は、球面のような、二次元的に凸の曲面であってもよく、シリンドリカル面のような、一次元的に凸の曲面であってもよい。また、図６には、この第２のレンズ面２１が形成された閃光発光部用プロテクタ１と同等の配光特性を有する、前面に第１のレンズ面１１を有し、後面が単なる平面からなる閃光発光部用プロテクタが２点鎖線で示されている。この後面が単なる平面のプロテクタと、第１態様の第２のレンズ面２１を有するプロテクタとを比較すると、後面が単なる平面のプロテクタは、第２のレンズ面２１を有するプロテクタより、肉厚であって、さらに中心部と周縁部との肉厚変化が大きいためプロテクタ製造時の面形状維持が甚だ困難である。反対に、第２のレンズ面２１を有するプロテクタは、この第２のレンズ面２１によって正のディオプタが与えられるため、後面が単なる平面のプロテクタより第１のレンズ面１１の曲率を小さく抑えられ、その結果、プロテクタは薄肉化され、さらに肉厚変化も小さく抑えられている。
【００５７】
次に、第１実施形態の閃光発光部用プロテクタにおける第２のレンズ面の第２態様について図７を用いて説明する。
【００５８】
図７は、第２態様の第２のレンズ面を有する閃光発光部用プロテクタの斜視図である。
【００５９】
第２態様の第２のレンズ面２２は、後方に凸のシリンドリカル面をフレネル化した面である。このフレネル化により、配光特性を損ねることなく、プロテクタは薄肉化され、肉厚変化も小さく抑えられる。
【００６０】
ところで、一般的なカメラでは、閃光発光部６（図１３参照）の配置位置と、撮影レンズの配置位置とが、一次元あるいは二次元的にずれているため、レンズの光軸に対して閃光照射領域の中心もずれしまい、パララックス補正を行う必要が生じる。図８及び図９を用いて説明する第２のレンズ面の態様は、閃光発光部６（図１３参照）の配置位置とレンズの配置位置とが一次元的にずれている場合に用いられる閃光発光部用プロテクタに採用される態様である。
【００６１】
図８は、第３態様の第２のレンズ面を有する閃光発光部用プロテクタの斜視図であり、図９は、第４態様の第２のレンズ面を有する閃光発光部用プロテクタの斜視図である。
【００６２】
第３態様の第２のレンズ面２３及び第４態様の第２のレンズ面２４はともに、後方に一次元的に凸の曲面をフレネル化した面であって、図８及び図９に示された閃光発光部用プロテクタ１はいずれも、プロテクタ全体として光学ウェッジの作用が成されたものである。ここで、図１０を用いて、図８及び図９に示された閃光発光部用プロテクタ１の、第１のレンズ面１１とフレネル化する前の曲面との関係を説明する。
【００６３】
図１０（ａ）は、図８に示された閃光発光部用プロテクタの、第１のレンズ面とフレネル化する前の曲面との関係を説明するための断面図であって、図１０（ｂ）は、図９に示された閃光発光部用プロテクタの、第１のレンズ面とフレネル化する前の曲面との関係を説明するための断面図である。
【００６４】
図１０（ａ）に示されるように、図８に示された閃光発光部用プロテクタの、フレネル化する前の曲面２３０の光軸２３０’と、第１のレンズ面１１の光軸１１’とは、相互に非平行の関係にあり、曲面２３０は、シリンドリカル面であって、第１のレンズ面１１の光軸１１’よりも左側に後方に最も突出した部分がある曲面である。したがって、第１のレンズ面１１の光軸１１’よりも右側を通る閃光は光路長が長くなり、その結果、閃光照射領域の中心は、第１のレンズ面１１の光軸１１’よりも左側にずれる。
【００６５】
また、図１０（ｂ）に示されるように、図９に示された閃光発光部用プロテクタのフレネル化する前の曲面２４０と第１のレンズ面１１との位置関係は、第１のレンズ面１１の光軸１１’と曲面２４０の光軸２４０’とが、たがいに一致する位置（図中の点線で表した曲面参照）から、相互に平行かつ不一致の関係になるように、第１のレンズ面１１に対して曲面２４０を左側にずらした位置関係にある。すなわち、曲面２４０は、図１０（ａ）に示された曲面２３０と同じく、第１のレンズ面１１の光軸１１’よりも左側に後方に最も突出した部分がある曲面である。したがって、閃光照射領域の中心は、第１のレンズ面１１の光軸１１’よりも左側にずれる。
【００６６】
よって、図１０に示された２種類の曲面２３０，２４０それぞれをフレネル化した第２のレンズ面２３，２４を有する閃光発光部用プロテクタ１は、閃光照射領域の中心を第１のレンズ面１１の光軸１１’上からずらすことができ、このずれを利用して、図８及び図９に示された閃光発光部用プロテクタ１は、一次元的なパララックスを補正することができる。なお、第２のレンズ面に、斜めに光学的ウェッジ的な作用を成すように上記のような特性を二次元的に持たせることにより、２次元的なパララックスを補正することもできる。
【００６７】
最後に、第１実施形態の閃光発光部用プロテクタにおける第２のレンズ面の第５態様及び第６態様について図１１及び図１２を用いて説明する。
【００６８】
図１１は、第５態様の第２のレンズ面を有する閃光発光部用プロテクタの斜視図であり、図１２は、第６態様の第２のレンズ面を有する閃光発光部用プロテクタの斜視図である。
【００６９】
第５態様の第２のレンズ面２５は、図１１に示された矢印Ｙ方向には正のディオプタを有するフレネル面に形成され、矢印Ｚ方向には負のディオプタを有する凹の曲面に形成されている。また、第６態様の第２のレンズ面２６は、図１２に示された矢印Ｙ方向及び矢印Ｚ方向のいずれにも負のディオプタを有する曲面形状に、Ｙ方向に正のディオプタを持つフレネルが形成されている。これら図１１及び図１２に示された閃光発光部用プロテクタ１それぞれは、第１のレンズ面１１がデザインの制約等によって正の強すぎるディオプタを持つ場合であっても、第２のレンズ面２５，２６によって、閃光発光部用プロテクタ１全体としては適正な正のディオプタを持つとともに、Ｙ方向およびＺ方向についてそれぞれ適切な配光特性を持つように補正されており、良好な配光特性が得られている。
【００７０】
【発明の効果】
以上、説明したように、本発明の閃光発光部用プロテクタによれば、配光ムラを抑え、かつ良好な配光特性を得ることができる。
【図面の簡単な説明】
【図１】第１のレンズ面の曲面形状の決定方法を説明するための図である。
【図２】フレネル化を説明するための模式図である。
【図３】本発明の第２実施形態の閃光発光部用プロテクタの第１のレンズ面の断面図である。
【図４】本発明の第３実施形態の閃光発光部用プロテクタを示す斜視図である。
【図５】本発明の第４実施形態の閃光発光部用プロテクタを示す斜視図である。
【図６】第１態様の第２のレンズ面を有する閃光発光部用プロテクタの断面図である。
【図７】第２態様の第２のレンズ面を有する閃光発光部用プロテクタの斜視図である。
【図８】第３態様の第２のレンズ面を有する閃光発光部用プロテクタの斜視図である。
【図９】第４態様の第２のレンズ面を有する閃光発光部用プロテクタの斜視図である。
【図１０】図８に示された閃光発光部用プロテクタの、第１のレンズ面とフレネル化する前の曲面との関係を説明するための概念図（ａ）と、図９に示された閃光発光部用プロテクタの、第１のレンズ面とフレネル化する前の曲面との関係を説明するための概念図（ｂ）である。
【図１１】第５態様の第２のレンズ面を有する閃光発光部用プロテクタの斜視図である。
【図１２】第６態様の第２のレンズ面を有する閃光発光部用プロテクタの斜視図である。
【図１３】閃光発光装置の閃光発光部の構造を示す模式図である。
【符号の説明】
１，２，３，４    閃光発光部用プロテクタ
１１，１２，１３，１４    第１のレンズ面
２１，２２，２３，２４，２５，２６    第２のレンズ面
１００    第１の曲線
１０１    第１の点
１０２    第２の点
ｒ    半径
２００    円弧
２０１    第１の交点
２０１    第２の交点
２１０    中心点
３００    曲面
３０１，３０２    フレネル要素
３０１＿１，３０２＿１    フレネル面
３０１＿２，３０２＿２    フレネル要素の頂点
３０１＿ｒ，３０２＿ｒ    フレネル面の曲率半径
４００    略楕円
【図１】
0004298907.tif 000004
【図２】
0004298907.tif 000005
【図３】
0004298907.tif 000006
【図４】
0004298907.tif 000007
【図５】
0004298907.tif 000008
【図６】
0004298907.tif 000009
【図７】
0004298907.tif 000010
【図８】
0004298907.tif 000011
【図９】
0004298907.tif 000012
【図１０】
0004298907.tif 000013
【図１１】
0004298907.tif 000014
【図１２】
0004298907.tif 000015
【図１３】
0004298907.tif 000016